(57)【要約】      （修正有）【課題】銀行業界において使用される電子デバイスのための保護スリーブを提供する。【解決手段】保護スリーブは、電子デバイス３を収容するための凹部を有する本体部２と、１つ以上の入力および／又は出力ポートを有し、本体部２に組み込まれる回路基板と、電子デバイス３のソケットコネクターと接触するため、凹部まで延長しているコネクタータブと、個人のバイオメトリック情報の検索手段４とＲＦＩＤカードからの情報を非接触で検索するため、本体部に組み込まれるカードリーダーと、外部電子デバイスを接続するための外部コネクターとを有し、バイオメトリック情報の検索手段４、カードリーダー、外部コネクターおよびコネクタータブは、電子デバイス３がコネクタータブに取り付けられて凹部に位置する場合において、バイオメトリック情報の検索手段４、カードリーダー、外部コネクターおよび、電子デバイス３との間に通信リンクを確立するため、回路基板の入力および／又は出力ポートに接続されている。【選択図】図２
0003214064.tif 000002
【実用新案登録請求の範囲】
【請求項１】
電子デバイス（３）のための保護スリーブ（１）であって、
前記電子デバイス（３）を収容するための凹部を有する本体部（２）と、
１つ以上の入力および／又は出力ポートを有し、前記本体部（２）に組み込まれる回路基板（８）と、
前記電子デバイス（３）のソケットコネクターと接触するため、前記凹部まで延長しているコネクタータブと、
個人のバイオメトリック情報を検索するための手段（４）と、を有し、
前記バイオメトリック情報を検索するための手段（４）および前記コネクタータブは、前記電子デバイス（３）が前記コネクタータブに取り付けられて前記凹部に位置する場合において、前記バイオメトリック情報を検索するための手段（４）と前記電子デバイス（３）との間に通信リンクを確立するため、前記回路基板（８）の前記入力および／又は出力ポートに接続されていることを特徴とする保護スリーブ（１）。
【請求項２】
カードを収容するためのソケット（５）を、さらに有し、前記ソケット（５）は、前記カードに記憶される情報を検索するため、カードリーダーと連結されていることを特徴とする請求項１に記載の保護スリーブ（１）。
【請求項３】
ＲＦＩＤカードからの情報を非接触で検索するため、前記本体部（２）に組み込まれるカードリーダーを、さらに有することを特徴とする請求項１又は請求項２に記載の保護スリーブ（１）。
【請求項４】
前記カードリーダーは、前記回路基板（８）の前記入力および／又は出力ポートに接続されており、前記カードリーダーと前記電子デバイス（３）と間の通信リンクを、確立することが可能であることを特徴とする請求項２又は請求項３に記載の保護スリーブ（１）。
【請求項５】
１つ以上の外部電子デバイス（１３）を接続するための少なくとも１つの外部コネクター（６）を、さらに有することを特徴とする請求項１〜４のいずれか１項に記載の保護スリーブ（１）。
【請求項６】
前記少なくとも１つの外部コネクター（６）は、前記回路基板（８）の前記入力および／又は出力ポートに接続されており、前記外部電子デバイス（１３）と前記電子デバイス（３）と間の通信リンクを確立することが可能であることを特徴とする請求項５に記載の保護スリーブ（１）。
【請求項７】
前記バイオメトリック情報を検索するための手段（４）は、指紋デバイス、虹彩デバイス、音声認識デバイス、顔認識デバイス、手幾何学形態リーダー、指静脈リーダー、手掌リーダー、あるいは、これらの任意の組合せであることを特徴とする請求項１〜６のいずれか１項に記載の保護スリーブ（１）。
【請求項８】
前記外部電子デバイス（１３）は、ＳＩＭカードリーダー、パスポートリーダー、プリンター、スキャナー、キャッシュあるいはカードコレクター、キャッシュあるいはカードディスペンサー、カードエンボッサー、ピン暗号化デバイス、キオスク端末、小切手コレクター、小切手スキャナー、小切手プリンター、あるいは、これらの任意の組合せであることを特徴とする請求項１〜７のいずれか１項に記載の保護スリーブ（１）。
【請求項９】
前記回路基板（８）は、マイクロコントローラー（９）を含んでおり、
前記マイクロコントローラー（９）は、
前記電子デバイス（３）と前記回路基板（８）との間の信号送信を確立するための電子デバイス通信モジュール（１４）と、
前記バイオメトリック情報を検索するための手段（４）と前記回路基板（８）との間の信号送信を確立するためのバイオメトリック読み取りモジュール（１５）と、
前記カードリーダーと前記回路基板（８）との間の信号送信を確立するためのカード読み取りモジュール（１６）と、
前記外部電子デバイス（１３）と前記回路基板（８）との間の信号送信を確立するための外部読み取りモジュール（１９）と、
が組み込まれていることを特徴とする請求項１〜８のいずれか１項に記載の保護スリーブ（１）。
【請求項１０】
前記回路基板（８）は、外部電源コネクター（７）を経由して外部電源によって、電力が供給されることを特徴とする請求項９に記載の保護スリーブ（１）。
【請求項１１】
前記回路基板（８）は、外部電源コネクター（７）を経由して充電可能な内部電源によって、電力が供給されることを特徴とする請求項９に記載の保護スリーブ（１）。
【請求項１２】
前記電子デバイス（３）は、パーソナルデジタルアシスタント（ＰＤＡ）、スマートフォン、タブレット、ラップトップ、ネットブック、ファブレット、フォブレット、ｉＰａｄ（登録商標）、あるいは、データを処理してデータ転送を行うことが可能である任意の適当な手段であることを特徴とする請求項１〜１０のいずれか１項に記載の保護スリーブ（１）。
【請求項１３】
通信ネットワークに接続され、かつ、請求項１〜１１のいずれか１項に記載の保護スリーブ（１）に取り付けられる電子デバイス（３）と、
前記電子デバイス（３）と通信するサーバーと、を有し、
前記サーバーは、前記電子デバイス（３）から個人のバイオメトリック情報を取得し、取得された前記バイオメトリック情報を介して前記個人を認証し、そして、前記電子デバイス（３）にフィードバック信号を送信するように構成されていることを特徴とする個人認証のための電子システム。
【請求項１４】
通信ネットワークに接続され、かつ、請求項１〜１１のいずれか１項に記載の保護スリーブ（１）に取り付けられる電子デバイス（３）と、
前記電子デバイス（３）と通信するサーバーと、を有し、
前記サーバーは、認証および検証のため、個人の関連バイオメトリック情報を、前記電子デバイス（３）に送信するように構成されていることを特徴とする個人認証のための電子システム。
【請求項１５】
通信ネットワークに接続され、かつ、請求項１〜１１のいずれか１項に記載の保護スリーブ（１）に取り付けられる電子デバイス（３）を有し、
前記電子デバイス（３）は、検索された前記バイオメトリック情報と、前記カードに記憶されているものとを比較することによって、個人を認証および／又は検証するように構成されていることを特徴とする個人認証のための電子システム。
【考案の詳細な説明】
【技術分野】
【０００１】
本考案の分野
本考案は電子デバイスに関する。特に、本考案は、電子デバイスのための保護スリーブに関する。
【背景技術】
【０００２】
本考案の背景
技術の進歩は、銀行の外交員が、顧客の居住地に移動し、あるいは、例えば、ショッピング複合体、モール、店舗、大量輸送の駅等の公共の場で顧客と打合せし、その場で、顧客がバンクカードあるいは銀行口座を申し込むことを支援することを可能にしている。従来、この種のプロセスは、コンピューティング装置、携帯型バイオメトリックデバイス、および、顧客の識別を認証および検証するためのカードリーダーを必要とする。
【０００３】
上述したシステムに関する従来技術より優れたいくつかの特許技術が存在する。無線通信機能およびグローバル地理的ポジショニング機能を有するポータブルコンピューターシステムに関して、米国公開公報ＵＳ２００８０００４０３９Ａ１が重要である。この特許は、無線通信機能およびグローバル地理的ポジショニング機能を有するポータブルコンピューターシステムを開示しており、前記システムは、無線モジュールに接続されるプロセッサーと、無線モジュールおよびプロセッサーに接続されるグローバルポジショニングユニットと、を含んでいる。無線モジュールは、無線接続を介して無線ネットワークと通信することが可能である。グローバルポジショニングユニットは、地理的位置情報を受信し、受信された地理的位置情報に基づいて、ポータブルコンピューターシステムの現在の地理的位置を決定するように構成することが可能である。プロセッサーは、システムソフトウェアを実行することが可能であり、前記システムソフトウェアは、セキュリティおよび認証設定や、例えば、現在の地理的位置情報の変更に依存するシステムクロック設定等のシステム構成設定を、再設定するように構成することが可能である。加えて、認証された管理者レベル（ａｄｍｉｎｉｓｔｒａｔｉｖｅ  ｌｅｖｅｌ）のユーザーは、１つ以上のコマンドを無線モジュールに送信することが可能である。
【０００４】
ＵＳＢハードドライブ、オプションのバイオメトリックスキャナーおよびシステムを有する別のハンドヘルドモバイルデバイスが、米国公開公報ＵＳ２０１３０１６７２２６Ａ１に開示されている。この特許は、着脱可能なＵＳＢドライブ、オプションのバイオメトリックスキャナーおよび／又は電子式開放機構および／又は回路を、備えている携帯電話および／又はスマートフォン等のモバイルハンドヘルド通信デバイスを開示している。通信デバイスは、ハウジングと、ハウジングの内部に位置する中央処理装置（ＣＰＵ）と、ハウジングの内部に位置しかつＣＰＵに接続されるメモリーコントローラーと、メモリーコントローラーと電気的に通信するユニバーサルシリアルバス（ＵＳＢ）ハードドライブと、を有する。ＵＳＢハードドライブは、ハウジングと一体化された、および／又は、一体化可能な外部表面あるいはケーシングを有する。ＵＳＢデバイスは、ＵＳＢインタフェースと、ＵＳＢインタフェースを介して通信するハードドライブと、バイオメトリックセンサーと、を含むことが可能である。バイオメトリックセンサーは、バイオメトリックセンサーを使用して取得されたバイオメトリックデータがハードドライブに記憶されるデータと一致する場合、ハードドライブとＵＳＢインタフェースとの間の電子通信を確立あるいは許可する。
【考案の概要】
【考案が解決しようとする課題】
【０００５】
これらのポータブルシステムの主要な欠点は、ユーザーがポータブルコンポーネントを組み立てる際に、技術的な問題が発生する虞があるということである。さらに、ユーザーはまた、それらのポータブルコンポーネントの１つを持参することを忘れる虞があり、手続のプロセスを遅れさせる。したがって、従来のシステムが、これらの必要な装置を統合し、前述の問題を軽減するニーズが存在し、そして、本考案は、この種の装置およびそのシステムを提供する。
【課題を解決するための手段】
【０００６】
考案の概要
本考案は、電子デバイスのための保護スリーブを提供し、前記保護スリーブは、前記電子デバイスを収容するための凹部を有する本体部と、１つ以上の入力および／又は出力ポートを有し、前記本体部に組み込まれる回路基板と、前記電子デバイスのソケットコネクターと接触するため、前記凹部まで延長しているコネクタータブと、個人のバイオメトリック情報を検索するための手段と、を有し、前記バイオメトリック情報を検索するための手段および前記コネクタータブは、前記電子デバイスが前記コネクタータブに取り付けられて前記凹部に位置する場合において、前記バイオメトリック情報を検索するための手段と前記電子デバイスとの間に通信リンクを確立するため、前記回路基板の前記入力および／又は出力ポートに接続されている。前記電子デバイスは、パーソナルデジタルアシスタント（ＰＤＡ）、スマートフォン、タブレット、ラップトップ、ネットブック、ファブレット（ｐｈａｂｌｅｔｓ）、フォブレット（ｐｈｏｂｌｅｔｓ）、ｉＰａｄ（登録商標）、あるいは、データを処理してデータ転送を行うことが可能である任意の適当な手段とすることが可能である。
【０００７】
本考案の一実施の形態において、前記保護スリーブは、カードを収容するためのソケットを、さらに有し、前記ソケットは、前記カードに記憶される情報を検索するため、カードリーダーと連結されている。好ましくは、前記カードリーダーは、前記回路基板の前記入力および／又は出力ポートに接続されており、前記カードリーダーと前記電子デバイスと間の通信リンクを、確立することが可能である。あるいは、前記カードリーダーは、ＲＦＩＤカードからの情報を無線を使用して検索するため、前記本体部に組み込まれる。
【０００８】
本考案の別の実施の形態において、前記保護スリーブは、１つ以上の外部電子デバイスを接続するための少なくとも１つの外部コネクターを、さらに有する。好ましくは、前記少なくとも１つの外部コネクターは、前記回路基板の前記入力および／又は出力ポートに接続されており、前記外部電子デバイスと前記電子デバイスと間の通信リンクを確立することが可能である。
【０００９】
有利には、前記バイオメトリック情報を検索するための手段は、指紋デバイス、虹彩デバイス、音声認識デバイス、顔認識デバイス、手幾何学形態リーダー、指静脈リーダー、手掌（ｈａｎｄ  ｐａｌｍ）リーダー、あるいは、これらの任意の組合せとすることが可能である。
【００１０】
有利には、前記外部電子デバイスは、ＳＩＭカードリーダー、パスポートリーダー、プリンター、スキャナー、キャッシュあるいはカードコレクター（ｃａｓｈ  ｏｒ  ｃａｒｄ  ｃｏｌｌｅｃｔｉｎｇ  ｍａｃｈｉｎｅ）、キャッシュあるいはカードディスペンサー（ｃａｓｈ  ｏｒ  ｃａｒｄ  ｄｉｓｐｅｎｓｉｎｇ  ｍａｃｈｉｎｅ）、カードエンボッサー（ｃａｒｄ  ｅｍｂｏｓｓｅｒ  ｍａｃｈｉｎｅ）、ピン暗号化デバイス（ｐｉｎ  ｅｎｃｒｙｐｔｉｏｎ  ｄｅｖｉｃｅ）、キオスク端末（ｋｉｏｓｋ  ｔｅｒｍｉｎａｌ）、小切手コレクター（ｃｈｅｑｕｅ  ｃｏｌｌｅｃｔｏｒ）、小切手スキャナー、小切手プリンター、あるいは、これらの任意の組合せとすることが可能である。
【００１１】
有利には、前記回路基板は、マイクロコントローラーを含むことが可能であり、前記マイクロコントローラーは、前記電子デバイスと前記回路基板との間の信号送信を確立するための電子デバイス通信モジュールと、前記バイオメトリック情報を検索するための手段と前記回路基板との間の信号送信を確立するためのバイオメトリック読み取りモジュールと、前記カードリーダーと前記回路基板との間の信号送信を確立するためのカード読み取りモジュールと、前記外部電子デバイスと前記回路基板との間の信号送信を確立するための外部読み取りモジュールと、が組み込まれている。加えて、前記回路基板は、外部電源によって電力を供給することが可能である。状況に応じ、前記回路は、外部電源コネクターを経由して充電可能な内部電源によって、電力を供給することが可能である。
【００１２】
前記目的の少なくとも１つは、本考案によって全部あるいは一部が満たされており、その点において、本考案の実施の形態は、個人認証のための電子システムを表現しており、前記電子システムは、通信ネットワークに接続され、かつ、前記保護スリーブに取り付けられる電子デバイスと、前記電子デバイスと通信するサーバーと、を有し、前記サーバーは、前記電子デバイスから個人のバイオメトリック情報を取得し、取得された前記バイオメトリック情報を介して前記個人を認証し、そして、前記電子デバイスにフィードバック信号を送信するように構成されている。あるいは、前記サーバーは、認証および検証のため、個人の関連バイオメトリック情報を、前記電子デバイスに送信するように構成することが可能である。さらに、検索されたバイオメトリック情報は、前記カードに記憶されているものと直接比較することが可能である。
【００１３】
当業者は、それに内在するものと同様に、前記目的を実行し、そして、前記目的および上述した利点を得るために、本考案が良好に適合していることを、容易に理解するだろう。ここに記載されている実施の形態は、本考案の範囲に対する限定として意図していない。
【図面の簡単な説明】
【００１４】
【図１】本考案の主たる特徴を具体化している保護スリーブを示している斜視図である。
【図２】保護スリーブを示している別の斜視図である。
【図３】保護スリーブの電子部品間の接続を示している概略ブロック図である。
【図４】保護スリーブのマイクロコントローラーを示している概略ブロック図である。
【考案を実施するための形態】
【００１５】
図面の簡単な説明
本考案の理解を容易にする目的で、添付の図面に好ましい実施の形態が示されており、以下の説明に関連して考慮される場合、その閲覧から、本考案、その構成および動作、そして、その多くの利点は、容易に理解および認識されるだろう。
【００１６】
図１は、本考案の主たる特徴を具体化している保護スリーブを示している斜視図である。
【００１７】
図２は、保護スリーブを示している別の斜視図である。
【００１８】
図３は、保護スリーブの電子部品間の接続を示している概略ブロック図である。
【００１９】
図４は、保護スリーブのマイクロコントローラーを示している概略ブロック図である。
【００２０】
本考案の詳細な説明
本考案は、これから、図面を参照し、一例として、さらに詳細に説明される。
【００２１】
図１および図２を参照し、ここに示される保護スリーブ（１）は、電子デバイス（３）を収容するための凹部を有する略矩形の本体部（２）と、本体部（２）に組み込まれる指紋センサー（４）と、本体部（２）の下部側から内部に向かって延長し、カードの挿入が可能であり、また、カードからの情報を検索するために一体化されたカードリーダーを有するソケット（５）と、外部電子デバイスを受け入れるための外部ソケットコネクター（６）と、外部電源供給のための電源アダプターを受け入れるための電源ソケット（７）と、を有する。好ましくは、カードは、個人識別カード（Ｐｅｒｓｏｎａｌ  Ｉｄｅｎｔｉｔｙ  ｃａｒｄ）である。
【００２２】
個人識別カードは、個人情報を記憶しかつカードリーダーによって読み取り可能とするための任意の適当なＩＤカード技術が組み込まれた、任意のタイプの電子カードとすることが可能である。個人識別カードとカードリーダーと間の通信は、個人識別カードにＲＦＩＤ技術あるいは無線通信を確立するための任意の別の適当な手段が組み込まれている場合、無線通信を介して確立することが可能である点に、留意する必要がある。電子デバイス（３）は、パーソナルデジタルアシスタント（ＰＤＡ）、スマートフォン、タブレット、ラップトップ、ネットブック、ファブレット、フォブレット、ｉＰａｄ（登録商標）、あるいは、データを処理してデータ転送を行うことが可能である任意の適当な手段とすることが可能である。さらに、指紋センサーは、虹彩デバイス、音声認識デバイス、顔認識デバイス、手幾何学形態リーダー、指静脈リーダー、手掌リーダー、あるいは、これらの任意の組合せと、置換することが可能である。
【００２３】
図３を参照し、保護スリーブ（１）は、本体部（２）に組み込まれる回路基板（８）を有し、前記回路基板は、電子デバイスＵＳＢ通信レイヤー（１０）と、マイクロコントローラー（９）と、少なくとも１つの汎用非同期受信機および／又は送信機（ＵＡＲＴ）通信レイヤー（１１）と、電力を供給するための充電回路（１２）と、を含んでおり、電子デバイスＵＳＢ通信レイヤーは、電子デバイス（３）が回路基板（８）と接続されることを可能とし、少なくとも１つの汎用非同期受信機および／又は送信機（ＵＡＲＴ）通信レイヤーは、個人識別カードリーダー（５）、指紋センサー（４）および別の外部電子デバイス（１３）を接続するためのものであり、前記別の外部電子デバイスは、例えば、ＳＩＭカードリーダー、パスポートリーダー、プリンター、スキャナー、キャッシュあるいはカードコレクター、キャッシュあるいはカードディスペンサー、カードエンボッサー、ピン暗号化デバイス、キオスク端末、小切手コレクター、小切手スキャナー、小切手プリンター等である。電子デバイスがｉＰａｄである場合、電力を伝達することが可能であるｉＰａｄＵＳＢコネクター（１０）の性質のため、ｉＰａｄデバイス（３）自体が、二次電源として作動することが可能である。本考案は、例えば、インターネットバンキングシステム、仮想バンキングシステム、仮想現金預け払い機（ｖｉｒｔｕａｌ  ｔｅｌｌｅｒ  ｍａｃｈｉｎｅ）、モバイル販売システム、ＡＴＭ装置、現金預金装置、即時取得システム（ｉｎｓｔａｎｔ  ａｃｑｕｉｓｉｔｉｏｎ  ｓｙｓｔｅｍ）、カードディスペンサー、小切手コレクター、小切手プリンター、小切手スキャナー、即時カードエンボッサー（ｉｎｓｔａｎｔ  ｃａｒｄ  ｅｍｂｏｓｓｅｒ）、請求書支払システム、支店デリバリーシステム（ｂｒａｎｃｈ  ｄｅｌｉｖｅｒｙ  ｓｙｓｔｅｍ）等の第三者システムに、さらに接続することが可能である。
【００２４】
好ましくは、マイクロコントローラー（９）は、全ての通信メッセージを処理するマイクロチップから構成される。マイクロチップは、４つのＵＡＲＴを有しており、第１〜第３ＵＡＲＴは、通信レイヤー（１１）に直接リンクされ、第４ＵＡＲＴは、マルチプレクサーにリンクされており、追加の４つのＵＡＲＴを、回路基板（８）に提供することが可能である。第１〜第３ＵＡＲＴは、データ送信、データ受信、送信可（ｃｌｅａｒ  ｔｏ  ｓｅｎｄ）および送信要求（ｒｅｑｕｅｓｔ  ｔｏ  ｓｅｎｄ）の機能を実行するように構成されおり、追加の４つのＵＡＲＴは、データ送信およびデータ受信の機能のみを実行するように構成されている。ＵＡＲＴ通信レイヤー（１１）は、多様な外部電子デバイス（１３）がプラグインできるように設計されている。回路基板（８）に接続可能な外部電子デバイスの合計数は、マイクロコントローラー（９）のＵＡＲＴの合計数によって制限される。しかし、ＵＡＲＴの合計数は、追加のマイクロコントローラー（９）を接続することによって、増加させることが可能である。
【００２５】
図４を参照し、マイクロコントローラー（９）は、電子デバイスコネクションモジュール（１４）、バイオメトリック読み取りモジュール（１５）、カード読み取りモジュール（１６）、ルーティングモジュール（１７）、電池モジュール（１８）および外部電子デバイスコネクションモジュール（１９）を備えている。コマンドが電子デバイス（３）によって作動（ｔｒｉｇｇｅｒｅｄ）させられる場合、電子デバイスコネクションモジュール（１４）は、応答してメッセージを構文解析（ｐａｒｓｅ）し、そして、コマンドの命令に応じて、マイクロコントローラーセットアッププロセス、ルーティングプロセス、カード読み取りプロセス、バイオメトリック読み取りプロセスのいずれかを実行する。
【００２６】
命令が、カード読み取りプロセスあるいはバイオメトリック読み取りプロセスの実行である場合、マイクロコントローラー（９）は、指紋デバイス（４）あるいはカードリーダー（５）を起動させる。一旦、指紋デバイス（４）あるいはカードリーダー（５）が情報を検索すると、検索された情報は、モジュールを経由して電子デバイス（３）に送信される。データ送信の全ては、ルーティングモジュール（１７）のルーティングプロトコルが適用（ｇｏｖｅｒｎｅｄ）される。
【００２７】
電池モジュール（１８）は、電源、好ましくは、電源ソケット（７）を介して再充電することが可能であるバッテリーの電力分配を管理するように構成される。また、バッテリーステータスおよびバッテリー電力レベルを監視するために使用することが可能である。
【００２８】
操作中において、ユーザーは、まず第一に、電子デバイス（３）を介して指紋デバイス（４）および個人識別カードデバイス（５）の動作を引き起こす。バイオメトリック情報および識別情報を検索すると、検索された情報は、回路基板（８）を経由して電子デバイス（３）に送信される。電子デバイス（３）がインターネットに接続されている場合、情報は、認証および検証目的のためのサーバーに、送信することが可能である。また、サーバーは、フィードバックメッセージを電子デバイス（３）に送信することが可能である。また、検索された情報をアップロードする代わりに、電子デバイス（３）は、関連した情報をダウンロードして、ローカル認証あるいは検証を実行することが可能である。あるいは、電子デバイス（３）は、検索しているバイオメトリック情報と、ユーザーの個人識別カードから検索されるものとを、直接比較することが可能である。
【００２９】
本開示は、前述の説明のものと同様に、添付の実用新案登録請求の範囲に包含されるものを含んでいる。本考案は、一定の特殊性（ｄｅｇｒｅｅ  ｏｆ  ｐａｒｔｉｃｕｌａｒｉｔｙ）を有する好ましい形態で説明されているけれど、好ましい形態の本開示は、単なる一例としてなされ、また、本考案の範囲から逸脱することなく、構成の詳細および部品の組合せおよび配置に関する多数の変更を取ることが、可能であることが理解される。
【図１】
0003214064.tif 000003
【図２】
0003214064.tif 000004
【図３】
0003214064.tif 000005
【図４】
0003214064.tif 000006
【手続補正書】
【提出日】平成29年1月6日(2017.1.6)
【手続補正１】
【補正対象書類名】実用新案登録請求の範囲
【補正対象項目名】全文
【補正方法】変更
【補正の内容】
【実用新案登録請求の範囲】
【請求項１】
銀行業界において使用される電子デバイス（３）の保護スリーブ（１）であって、
前記電子デバイス（３）を収容するための凹部を有する本体部（２）と、
１つ以上の入力および／又は出力ポートを有し、前記本体部（２）に組み込まれる回路基板（８）と、
前記電子デバイス（３）のソケットコネクターと接触するため、前記凹部まで延長しているコネクタータブと、
個人のバイオメトリック情報を検索するための手段（４）と、
ＲＦＩＤカードからの情報を非接触で検索するため、前記本体部に組み込まれるカードリーダーと、
１つ以上の外部電子デバイス（１３）を接続するための少なくとも１つの外部コネクター（６）と、を有し、
前記バイオメトリック情報を検索するための手段（４）、前記カードリーダー、前記外部コネクター（６）および前記コネクタータブは、前記電子デバイス（３）が前記コネクタータブに取り付けられて前記凹部に位置する場合において、前記バイオメトリック情報を検索するための手段（４）、前記カードリーダー、前記外部コネクター（６）および前記電子デバイス（３）との間に通信リンクを確立するため、前記回路基板（８）の前記入力および／又は出力ポートに接続されており、
前記回路基板（８）は、第１〜第４ＵＡＲＴを有するマイクロコントローラー（９）を有しており、前記第１〜第３ＵＡＲＴは、ＵＡＲＴ通信レイヤー（１１）に直接リンクされ、前記第４ＵＡＲＴは、マルチプレクサーを介して追加の４つのＵＡＲＴにリンクされていることを特徴とする保護スリーブ（１）。
【請求項２】
カードを収容するためのソケット（５）を、さらに有し、前記ソケット（５）は、前記カードに記憶される情報を検索するため、カードリーダーと連結されていることを特徴とする請求項１に記載の保護スリーブ（１）。
【請求項３】
前記第１〜第３ＵＡＲＴは、データ送信、データ受信、送信可および送信要求の機能を実行するように構成されており、前記追加の４つのＵＡＲＴは、データ送信およびデータ受信の機能のみを実行するように構成されていることを特徴とする請求項１又は請求項２に記載の保護スリーブ（１）。
【請求項４】
前記バイオメトリック情報を検索するための手段（４）は、指紋デバイス、虹彩デバイス、音声認識デバイス、顔認識デバイス、手幾何学形態リーダー、指静脈リーダー、手掌リーダー、あるいは、これらの任意の組合せであることを特徴とする請求項１〜３のいずれか１項に記載の保護スリーブ（１）。
【請求項５】
前記外部電子デバイス（１３）は、ＳＩＭカードリーダー、パスポートリーダー、プリンター、スキャナー、キャッシュあるいはカードコレクター、キャッシュあるいはカードディスペンサー、カードエンボッサー、ピン暗号化デバイス、キオスク端末、小切手コレクター、小切手スキャナー、小切手プリンター、あるいは、これらの任意の組合せであることを特徴とする請求項１〜４のいずれか１項に記載の保護スリーブ（１）。
【請求項６】
前記回路基板（８）は、マイクロコントローラー（９）を含んでおり、
前記マイクロコントローラー（９）は、
前記電子デバイス（３）と前記回路基板（８）との間の信号送信を確立するための電子デバイス通信モジュール（１４）と、
前記バイオメトリック情報を検索するための手段（４）と前記回路基板（８）との間の信号送信を確立するためのバイオメトリック読み取りモジュール（１５）と、
前記カードリーダーと前記回路基板（８）との間の信号送信を確立するためのカード読み取りモジュール（１６）と、
前記外部電子デバイス（１３）と前記回路基板（８）との間の信号送信を確立するための外部読み取りモジュール（１９）と、
が組み込まれていることを特徴とする請求項１〜５のいずれか１項に記載の保護スリーブ（１）。
【請求項７】
前記回路基板（８）は、外部電源コネクター（７）を経由して外部電源によって、電力が供給されることを特徴とする請求項６に記載の保護スリーブ（１）。
【請求項８】
前記回路基板（８）は、外部電源コネクター（７）を経由して充電可能な内部電源によって、電力が供給されることを特徴とする請求項６に記載の保護スリーブ（１）。
【請求項９】
前記電子デバイス（３）は、パーソナルデジタルアシスタント（ＰＤＡ）、スマートフォン、タブレット、ラップトップ、ネットブック、ファブレット、フォブレット、ｉＰａｄ（登録商標）、あるいは、データを処理してデータ転送を行うことが可能である任意の適当な手段であることを特徴とする請求項１〜８のいずれか１項に記載の保護スリーブ（１）。
【請求項１０】
通信ネットワークに接続され、かつ、請求項１〜９のいずれか１項に記載の保護スリーブ（１）に取り付けられる電子デバイス（３）と、
前記電子デバイス（３）と通信するサーバーと、を有し、
前記サーバーは、前記電子デバイス（３）から個人のバイオメトリック情報を取得し、取得された前記バイオメトリック情報を介して前記個人を認証し、そして、前記電子デバイス（３）にフィードバック信号を送信するように構成されていることを特徴とする個人認証のための電子システム。
【請求項１１】
通信ネットワークに接続され、かつ、請求項１〜９のいずれか１項に記載の保護スリーブ（１）に取り付けられる電子デバイス（３）と、
前記電子デバイス（３）と通信するサーバーと、を有し、
前記サーバーは、認証および検証のため、個人の関連バイオメトリック情報を、前記電子デバイス（３）に送信するように構成されていることを特徴とする個人認証のための電子システム。